(57)【要約】【課題】建具部分からダンパーのオイルをすみやかに排出し、建具部分におけるオイルへの引火を防止して防火性能を向上させる。【解決手段】枠体の竪枠と障子の竪框との間の空間にダンパーが配置される防火建具に対して、枠体の下枠には、火災時に枠体と障子との間を塞ぐように長手方向に沿って加熱発泡材が配置されている。枠体の下枠の両端には、補強部材が配置されており、下枠に配置された加熱発泡材は、枠体の竪枠と障子の竪框との間の空間に露出していない。【選択図】  図４
2020002760.tif 000002
【特許請求の範囲】
【請求項１】
枠体の竪枠と障子の竪框との間の空間にダンパーが配置されており、
枠体の下枠は、長手方向に沿って加熱発泡材が配置されているとともに、
下枠に配置された加熱発泡材は、枠体の竪枠と障子の竪框との間の空間に露出していない防火建具。
【請求項２】
枠体の竪枠と障子の竪框との間の空間にダンパーが配置されており、
障子の下框は、長手方向に沿って加熱発泡材が配置されているとともに、
下框に配置された加熱発泡材は、枠体の竪枠と障子の竪框との間の空間に露出していない防火建具。
【発明の詳細な説明】
【技術分野】
【０００１】
本発明は、枠体の竪枠と障子の竪框との間の空間に、ダンパー等のオイルによる緩衝機能を有する機能部品が配置されている防火建具に関する。
【背景技術】
【０００２】
建物開口部に配置される防火建具として、枠体の竪枠と障子の竪框との間に、障子の開閉補助用のダンパーを備える建具において、ダンパーの端部と対向する位置に加熱発泡材を設けて、火災時にダンパーから漏れ出すオイルを加熱発泡材で受け止める建具が公知となっている。
【先行技術文献】
【特許文献】
【０００３】
【特許文献１】特開２０１４−７４３１６号公報
【発明の概要】
【発明が解決しようとする課題】
【０００４】
上記特許文献１に記載された建具は、ダンパーから漏れ出すオイルを加熱発泡材で受け止めることで、オイルへの引火を防止して放火性能を向上させようとしている。
しかし、加熱発泡材で受け止めることでオイルが建具内にとどまり、温度が上昇することによって躯体開口部においてオイルに引火する可能性があった。
【０００５】
本発明は、上記の事情を鑑み、ダンパーから漏れ出すオイルをすみやかに排出して、建具部分におけるオイルへの引火を防止して防火性能を向上させることを目的とする。
【課題を解決するための手段】
【０００６】
本発明のひとつの実施形態は、枠体の竪枠と障子の竪框との間の空間にダンパーが配置されており、枠体の下枠は、長手方向に沿って加熱発泡材が配置されているとともに、下枠に配置された加熱発泡材は、枠体の竪枠と障子の竪框との間の空間に露出していない防火建具である。
また、他のひとつの実施形態は、枠体の竪枠と障子の竪框との間の空間にダンパーが配置されており、障子の下框は、長手方向に沿って加熱発泡材が配置されているとともに、下框に配置された加熱発泡材は、枠体の竪枠と障子の竪框との間の空間に露出していない防火建具である。
【発明の効果】
【０００７】
本実施形態の防火建具の構成により、下枠と下框との間の空間に配置した加熱膨張材が膨張することによってダンパーの下方位置において竪枠と竪框との間の空間を閉塞することを抑制して、建具部分からオイルをすみやかに排出し、建具部分におけるオイルへの引火を防止して防火性能を向上させることができる。
【図面の簡単な説明】
【０００８】
【図１】本発明の実施形態に係る防火建具の内観図である。
【図２】本発明の実施形態に係る防火建具の下方竪断面図である。
【図３】本発明の実施形態に係る防火建具の左側横断面図である。
【図４】本発明の第１の実施形態に係る防火建具の補強部材の図である。
【図５】本発明の第１の実施形態に係る防火建具の左側横断面図である。
【図６】本発明の第１の実施形態に係る防火建具の左枠下方部分の外観図である。
【図７】（ａ）は、本発明の第１の実施形態に係る防火建具の枠体の左下方部分を室外側上方から見た斜視図であり、（ｂ）は、同障子の左下方部分を室内側下方からみた斜視図である。
【図８】本発明の第２の実施形態に係る防火建具の下方竪断面図である。
【図９】本発明の第２の実施形態に係る防火建具の左側横断面図及び補強部材の図である。
【図１０】本発明の第２の実施形態に係る防火建具の左枠下方部分の外観図及び補強部材の図である。
【図１１】（ａ）は、本発明の第２の実施形態に係る防火建具の枠体の左下方部分を室外側上方から見た斜視図であり、（ｂ）は、同障子の左下方部分を室内側下方からみた斜視図である。
【図１２】発明の第３の実施形態に係る防火建具の補強部材の図である。
【図１３】発明の第３の実施形態に係る防火建具の補強部材の図である。
【図１４】（ａ）は、本発明の第３の実施形態に係る防火建具の左側横断面図であり、（ｂ）は、同下方竪断面図である。
【図１５】（ａ）は、本発明の第３の実施形態に係る防火建具の枠体の左下方部分を室外側上方から見た斜視図であり、（ｂ）は、同障子の左下方部分を室内側下方からみた斜視図である。
【図１６】（ａ）（ｂ）は、本発明の第３の実施形態に係る防火建具の補強部材の図であり、（ｃ）は、左側横断面図であり、（ｄ）は、同下方竪断面図である。
【図１７】（ａ）（ｂ）は、本発明の第３の実施形態に係る防火建具の補強部材の図であり、（ｃ）は、左側横断面図であり、（ｄ）は、同下方竪断面図である。
【図１８】（ａ）（ｂ）は、本発明の第３の実施形態に係る防火建具の障子の左下方部分を室内側下方からみた斜視図である。
【図１９】（ａ）は、本発明の第３の実施形態に係る防火建具の左側横断面図であり、（ｂ）は、同下方竪断面図であり、（ｃ）（ｄ）は、補強部材の図である。
【図２０】本発明の第４の実施形態に係る防火建具の補強部材の図である。
【図２１】（ａ）は、本発明の第４の実施形態に係る防火建具の枠体の左下方部分を室外側上方から見た斜視図であり、（ｂ）は、同障子の左下方部分を室内側下方からみた斜視図である。
【図２２】（ａ）は、本発明の第４の実施形態に係る防火建具の障子の左下方部分を室内側下方からみた斜視図であり、（ｂ）は、比較例である。
【図２３】本発明の第５の実施形態に係る防火建具の下方竪断面図である。
【図２４】本発明の第５の実施形態に係る防火建具の左側横断面図である。
【図２５】本発明の第５の実施形態に係る防火建具の左枠下方部分の外観図である。
【発明を実施するための形態】
【０００９】
本発明の実施形態について、竪枠と竪框との間にダンパーを配置してなる外倒し窓の例を用い、図面を参考にして説明する。
（全体の構成）
本発明の実施形態の外倒し窓は、図１に示すように、建物の躯体開口部に配置される枠体１と、枠体１の内周に対して下辺を軸にして上辺が外側へ開放するように支持される障子２とを備える外倒し窓として構成されている。
【００１０】
枠体１は、上枠１１、下枠１２及び左、右竪枠１３，１４を四周組して形成されている。一方、障子２は、上框２１、下框２２及び左、右竪框２３，２４を四周組し内周にガラス等のパネル体２５を配置して形成されている。
障子２は、下框２２がヒンジ１５により枠体１の下枠１２に取付けられることで回動自在に支持されており、障子２の閉鎖時においては、上框２１が上枠１１にロック装置１６等により係合されることで、障子２の閉鎖状態が維持される。
また、左、右竪枠１３，１４と左、右竪框２３，２４との間にダンパー８，８が配置されており、障子２の開閉時の動きを緩衝するとともに、障子２の開放状態が維持される。
【００１１】
本発明の実施形態の防火建具について、図２及び図３を参考にして説明する。
枠体１を構成する上枠１１、下枠１２及び左、右竪枠１３，１４は、それぞれ室外側に配置される金属製の枠材と室内側に配置される樹脂製の枠材を有している。
一方、障子２を構成する上框２１、下框２２及び左、右竪框２３，２４は、それぞれ室外側に配置される金属製の框材と室内側に配置される樹脂製の框材を有している。
【００１２】
（下枠及び下框）
本実施形態の防火建具の枠体１を構成する下枠１２は、図２に示すように、躯体開口部の内周に配置される金属下枠１２１と、金属下枠１２１の室内側内周（上面）に配置される樹脂下枠１２２を有する。
金属下枠１２１は、中空部を有し躯体開口部の室外側内周を覆う室外側本体部１２１ａと、室外側本体部１２１ａの室内側に階段状に高くなるように連設される室内側本体部１２１ｂを有している。
室外側本体部１２１ａは、室内側上面が平坦面として形成され、室外側上面に上方に開口する凹部が形成されている。また、室内側本体部１２１ｂは、室外側上面が平坦面として形成され、室内側上面に樹脂下枠１２２が取り付けられる被係合部１２１ｃが形成されている。
【００１３】
また、樹脂下枠１２２は、中空部を有する室内側立壁部１２２ａと、室内側立壁部１２２ａの上端から障子２の室内側面に近接するように室外側に向かって延設される上壁部１２２ｂと、室内側立壁部１２２ａの下方位置から室内側に延設されるアングル部１２２ｃを有しており、室内側立壁部１２２ａの下面には、金属下枠１２１の被係合部１２１ｃに係合する係合部１２２ｄが形成されている。
なお、本実施形態の樹脂下枠１２２は、室内側立壁部１２２ａと上壁部１２２ｂが別体により形成されており、室内側立壁部１２２ａの上面に上壁部１２２ｂが取り付けられて形成されているが、室内側立壁部１２２ａと上壁部１２２ｂを一体的に形成してもよい。
【００１４】
そして、下枠１２と下框２２との間の空間Ｂに対向する金属下枠１２１の室内側本体部１２１ｂの室外側面には、加熱発泡材を保持するホルダー１２１ｄ及び気密材を保持する気密材ホルダー１２１ｅが下枠１２の長手方向全長にわたって形成されており、加熱発泡材ｆ２及び気密材ｓ２が、ホルダー１２１ｄ及び気密材ホルダー１２１ｅに下枠１２の全長にわたって配置されている。
【００１５】
障子２を構成する下框２２は、図２に示すように、下框２２の室外側を構成する金属下框２２１と、金属下框２２１の室内側に取付けられる樹脂下框２２２を有する。
金属下框２２１は、中空部を有する下框本体部２２１ａと、下框本体部２２１ａの室外側端から外周（下）方向に延設される室外側壁部２２１ｂと、下框本体部２２１ａの室外側端から内周（上）方向に延設される室外側パネル間口壁２２１ｃを有している。
樹脂下框２２２は、下框本体部２２１ａの室内側に取付けられ中空部を有する樹脂下框本体部２２２ａと、樹脂下框本体部２２２ａの室内側から内周（上）方向に延設される室内側パネル間口壁２２２ｂを有している。
【００１６】
そして、下枠１２と下框２２との間の空間Ｂに対向する金属下框２２１の室外側壁部２２１ｂの室内側面には、加熱発泡材を保持するホルダー２２１ｄが下框２２の長手方向全長にわたって形成されており、加熱発泡材ｆ４が、ホルダー２２１ｄに下框２２の全長にわたって配置されている。
【００１７】
（竪枠及び竪框）
本実施形態の防火建具の枠体１を構成する竪枠（なお、竪枠及び竪框の構成は、左右でほぼ同じであるので、以下、竪枠及び竪框について左竪枠１３及び左竪框２３を用いて説明する。）は、図３に示すように、躯体開口部の内周に配置される金属左竪枠１３１と、金属左竪枠１３１の室内側内周に配置される樹脂左竪枠１３２を有する。
金属左竪枠１３１は、躯体開口部の内周を覆う左竪枠本体部１３１ａと、左竪枠本体部１３１ａの内周面より内周方向に突設される見付け壁部１３１ｂを有しており、左竪枠本体部１３１ａの見付け壁部１３１ｂよりも室内側に被係合部１３１ｃが形成されている。
【００１８】
また、樹脂左竪枠１３２は、中空部を有する樹脂左竪枠本体部１３２ａと、金属左竪枠１３１の被係合部１３１ｃに係合する係合部１３２ｂと、係合部１３２ｂの室内側に延設されるアングル部１３２ｃを有している。
【００１９】
そして、樹脂左竪枠１３２の係合部１３２ｂが金属左竪枠１３１の被係合部１３１ｃに係合されて樹脂左竪枠１３２が金属左竪枠１３１に取付けられることで、金属左竪枠１３１の見付け壁部１３１ｂの室外側面と樹脂左竪枠１３２の樹脂左竪枠本体部１３２ａの室外側面とがほぼ面一となり、室内側壁部を構成している。  
【００２０】
金属左竪枠１３１の見付け壁部１３１ｂの室外側面には、加熱発泡材を保持するホルダー１３１ｄが金属左竪枠１３１の長手方向全長にわたって形成されており、樹脂左竪枠１３２の樹脂左竪枠本体部１３２ａの室外側面には、気密材を保持する気密材ホルダー１３２ｄが樹脂左竪枠１３２の長手方向全長にわたって形成されており、加熱発泡材ｆ１及び気密材ｓ１が、ホルダー１３１ｄ及び気密材ホルダー１３２ｄに左竪枠１３の全長にわたって配置されている。
【００２１】
障子２を構成する左竪框２３は、図３に示すように、左竪框２３の室外側を構成する金属左竪框２３１と、金属左竪框２３１の室内側に取付けられる樹脂左竪框２３２を有する。
金属左竪框２３１は、中空部を有する左竪框本体部２３１ａと、左竪框本体部２３１ａの室外側端から外周方向に延設される室外側壁部２３１ｂと、左竪框本体部２３１ａの室外側端から内周方向に延設される室外側パネル間口壁２３１ｃを有している。
樹脂左竪框２３２は、金属左竪框２３１の左竪框本体部２３１ａの室内側に取付けられ中空部を有する樹脂左竪框本体部２３２ａと、樹脂左竪框本体部２３２ａの室内側から内周方向に延設される室内側パネル間口壁２３２ｂを有している。
【００２２】
金属左竪框２３１の室外側壁部２３１ｂの室内側面には、加熱発泡材を保持するホルダー２３１ｄ及び気密材を保持する気密材ホルダー２３１ｅが金属左竪框２３１の長手方向全長にわたって形成されており、加熱発泡材ｆ３及び気密材ｓ３が、ホルダー２３１ｄ及び気密材ホルダー２３１ｅに金属左竪框２３１の全長にわたって配置されている。
【００２３】
そして、左竪枠１３と左竪框２３との間の空間Ａには、障子２の開閉動作を補助するダンパー８が配置されており、ダンパー８の下端が左竪枠本体部１３１ａの内周面に取付基台８１を介して固定され、ダンパー８の上端が左竪框本体部２３１ａの外周面に取付基台８２を介して固定されている。
【００２４】
以上のように、下枠１２と下框２２の間の空間Ｂに対して、該空間Ｂに対向する面である下枠１２の室内側本体部１２１ｂの室外側面及び下框２２の室外側壁部２２１ｂの室内側面に、加熱により発泡する加熱発泡材ｆ２、ｆ４が配置されており、火災時に発泡して枠体１の下枠１２と障子２の下框２２との間の空間Ｂを閉塞することで、室内外の連通を防止して、防火性能を向上させている。
【００２５】
また、左竪枠１３と左竪框２３の間の空間Ａに対して、該空間Ａに対向する面である左竪枠１３の室内側壁部の室外側面及び金属左竪框２３１の室外側壁部２３１ｂの室内側面に、加熱により発泡する加熱発泡材ｆ１，ｆ３が配置されており、火災時に発泡して枠体１の左竪枠１３と障子２の左竪框２３との間の空間Ａを閉塞することで、室内外の連通を防止して、防火性能を向上させている。
【００２６】
上記のように、枠体１の内周面と障子２の外周面との間の空間に加熱発泡材が配置されていることによって、火災時には、加熱発泡材が枠体１の内周面と障子２の外周面との間の空間に充満して該空間を介して火炎や煙が侵入することを防止することができる。
しかし、枠体１の竪枠と障子２の竪框との間の空間Ａに、オイルによって緩衝機能を有するダンパーが配置されている建具においては、該空間Ａや枠体１の下枠１２と障子２の下框２２との間の空間Ｂが膨張した加熱発泡材によって閉塞されることによって、ダンパーから漏れ出したオイルが竪枠と竪框との間の空間Ａに留まり、高温となることによってかえって延焼を導く危険があった。
【００２７】
本実施形態の防火建具は、火災時に枠体１と障子２との間の空間に配置した加熱発泡材が、火災時の発泡によってダンパー８の下方に位置する部分に充満して閉塞することを防止して、ダンパー８から漏れ出したオイルを速やかに建具外に排出してオイルによる延焼を抑制することを可能にするものである。以下、さらに詳細に説明する。
【００２８】
−第１の実施形態−
まず、加熱発泡材によるダンパー８の下方部分が閉塞されることを防止するために補強部材を配置する一実施形態の防火建具について、図４ないし図７を参考にして説明する。
なお、以下の説明において、加熱発泡材によるダンパーの下方部分が閉塞されることを防止するとは、加熱発泡材がダンパーの下方部分に全く至らないように閉塞されることを防止することを意味するものではなく、補強部材が無い場合に比べて加熱発泡材による閉塞が抑制できれば良い。
本実施形態の防火建具に配置される補強部材を、図４に示す。
図４（ａ），（ｂ）に示す補強部材は、左竪枠１３に配置される竪枠補強部材５１であり、左竪枠１３に配置される加熱発泡材ｆ１によるダンパーの下方の閉塞を防止する補強部材である。
竪枠補強部材５１は、左竪枠１３に配置される加熱発泡材ｆ１の下方部分を覆う見付け部５１ａと金属左竪枠１３１の左竪枠本体部１３１ａに固定される固定部５１ｂを有する断面略Ｌ字状の部材により形成されている。
【００２９】
そして、竪枠補強部材５１は、図５に示すように、固定部５１ｂが金属左竪枠１３１の下方部分において、左竪枠本体部１３１ａの内周面にビス等の固定手段ｂ１によって固定されることによって、竪枠補強部材５１の見付け部５１ａが左竪枠１３の室内側壁部（金属左竪枠１３１の見付け壁部１３１ｂ及び樹脂左竪枠１３２の樹脂左竪枠本体部１３２ａ）の室外側面に対向し、図６，図７（ａ）に示すように、枠体１の左竪枠１３と障子２の左竪框２３との間の空間Ａに配置されるダンパー８の下方位置において加熱発泡材ｆ１の露出面を覆っている。
【００３０】
なお、竪枠補強部材５１の左竪枠１３に対する固定は、ダンパー８を固定するための取付基台８１を固定するビス等の固定手段ｂによって固定されてもよい。
【００３１】
図４（ｃ）ないし（ｅ）に示す補強部材は、左竪框２３に配置される竪框補強部材５２であり、左竪框２３に配置される加熱発泡材ｆ３によるダンパーの下方の閉塞を防止する補強部材である。
竪框補強部材５２は、左竪框２３に配置される加熱発泡材ｆ３の下方部分を覆う見付け壁部５２ａと、金属左竪框２３１の左竪框本体部２３１ａに固定される固定部５２ｂを有する断面略Ｌ字状の部材により構成されている。
なお、固定部５２ｂの下方部分は、左竪框２３と下框２２とを連結するタッピングネジ等を通すために切欠き５２ｃが形成されている。
【００３２】
そして、竪框補強部材５２は、図３に示すように、固定部５２ｂが金属左竪框２３１の下方部分において、左竪框本体部２３１ａの外周面に固定手段ｂ２によって固定されることによって、竪框補強部材５２の見付け壁部５２ａが金属左竪框２３１の室外側壁部２３１ｂの室内側面に対向して、図７（ｂ）に示すように、枠体１の左竪枠１３と障子２の左竪框２３との間の空間Ａに配置されるダンパー８の下方位置において加熱発泡材ｆ３の露出面を覆っている。
【００３３】
図４（ｆ），（ｇ）に示す補強部材は、下枠１２に配置される下枠補強部材５３であり、下枠１２に配置される加熱発泡材ｆ２によるダンパー下方部分の閉塞を防止する補強部材である。
下枠補強部材５３は、下枠１２に配置される加熱発泡材ｆ２を覆う見付け壁部５３ａと下枠１２に固定される固定部５３ｂを有する部材により構成されている。なお、固定部５３ｂの外周側であり室外側には切欠き５３ｃが形成されている。
【００３４】
そして、下枠補強部材５３は、図２，図５に示すように、固定部５３ｂが下枠１２の両端部付近において室外側本体部１２１ａの室内側上面に載置され、ビス等の固定手段ｂ３によって下枠１２に固定されることで、下枠補強部材５３の見付け壁部５３ａが下枠１２の室内側本体部１２１ｂの室外側面に対向して、図６，図７（ａ）に示すように、下枠１２に配置される加熱発泡材ｆ２の枠体１の左竪枠１３と障子２の左竪框２３との間の空間Ａの下方位置に露出する部分、すなわち端部付近を覆っている。
【００３５】
以上のように、本実施形態の防火建具においては、竪枠と竪框との間の空間に対向する部位のダンパーの下方位置に補強部材を配置したので、竪枠及び竪框を補強することができる。
また、補強部材によって枠体の竪枠と障子の竪框との間の空間に対向する加熱発泡材を覆うことで、ダンパーの下方位置において露出させない。
これにより、火災時に加熱発泡材が発泡することによるダンパーの下方部分が閉塞されることを抑制して、オイルをスムーズに排出させ建具内に留まるオイルによる延焼を防止することができる。
また、枠体に対する補強部材が、竪枠補強部材と下枠補強部材とに分割されているので、工場出荷時に両補強部材を竪枠及び下枠に固定してノックダウン出荷させることができ、現場での施工性を向上させることができる。
【００３６】
−第２の実施形態−
本発明の第２の実施形態の防火建具について、図８ないし図１１を参考にして説明する。
なお、後述する第２の実施形態ないし第４の実施形態の防火建具は、上記第１の実施形態と同様に補強部材によって加熱発泡材がダンパーの下方位置を閉塞することを抑制するもの防火建具の実施形態であって、枠体１及び障子２の構成は上記第１の実施形態と同様であるので、特に、ダンパーの下方位置に配置される補強部材についての説明を行い、構成が同一である部分の説明は省略する。
本実施形態の防火建具において、加熱発泡材によるダンパーの下方が閉塞されることを防止する補強部材は、左竪枠１３に配置される加熱発泡材ｆ１によるダンパー下方の閉塞を防止する竪枠補強部材５４と、下枠１２に配置される加熱発泡材ｆ２によるダンパー下方の閉塞を防止する下枠補強部材５６と、左竪框２３に配置される加熱発泡材ｆ３によるダンパー下方の閉塞を防止する竪框補強部材５５とからなる。
【００３７】
竪枠補強部材５４は、例えばステンレス等の金属材料からなり、図１０（ｂ）（ｃ）に示すように、左竪枠１３に配置される加熱発泡材ｆ１の幅寸法よりも若干大きい幅寸法を有する矩形平板状の部材により形成されている。
そして、竪枠補強部材５４は、図８，図１０（ａ），図１１（ａ）に示すように、左竪枠１３の下方部分において、見付け壁部１３１ｂの室外側面に配置した加熱発泡材ｆ１の表面に当接もしくは近接するように配置され、ビス等の固定手段ｂ４によって加熱発泡材ｆ１とともに見付け壁部１３１ｂに固定されており、枠体１の左竪枠１３と障子２の左竪框２３との間の空間Ａに配置されるダンパー８の下方位置において加熱発泡材ｆ１の露出面を覆っている。
【００３８】
下枠補強部材５６は、例えばステンレス等の金属材料からなり、図１０（ｄ）（ｅ）に示すように、加熱発泡材ｆ２の幅寸法よりも若干大きい幅寸法を有する矩形平板状の部材により形成されている。
そして、下枠補強部材５６は、図８，図１０（ａ），図１１（ａ）に示すように、下枠１２の室内側本体部（室内側壁部）１２１ｂの室外側面に配置した加熱発泡材ｆ２の表面に当接もしくは近接するように配置され、ビス等の固定手段ｂ６によって加熱発泡材ｆ２とともに室内側本体部（室内側壁部）１２１ｂに固定されており、枠体１の左竪枠１３と障子２の左竪框２３との間の空間Ａに配置されるダンパー８の下方位置において加熱発泡材ｆ２の露出面を覆っている。
【００３９】
竪框補強部材５５は、例えばアルミニウム合金等の金属材料からなり、図９（ａ），（ｂ）に示すように、肉厚の矩形平板状の目板部材により形成されている。
そして、左竪框２３の室外側壁部２３１ｂの室内側面には、加熱発泡材ｆ３を配置するホルダー２３１ｄの室内側に竪框補強部材５５を保持する補強部材ホルダー２３１ｆが見込み方向に並設されており、補強部材ホルダー２３１ｆに竪框補強部材５５が配置されている。
補強部材ホルダー２３１ｆに配置された竪框補強部材５５は、枠体１の左竪枠１３と障子２の左竪框２３との間の空間Ａに配置されるダンパー８の下方付近において左竪框２３の室外側壁部２３１ｂのホルダー２３１ｄの開口部を塞ぎ、加熱発泡材ｆ３の露出面を覆っている。
【００４０】
以上のように、本実施形態の防火建具においては、上記第１の実施形態の防火建具の効果に加えて、加熱発泡材ｆ１、ｆ２及びｆ３の露出面を覆う部分以外の不必要な部分を削除することができるので、材料の削減ができてコストダウンを図ることができる。
【００４１】
−第３の実施形態−
本発明の第３の実施形態の防火建具について、図１２ないし図１９を参考にして説明する。
本実施形態の防火建具において、加熱発泡材によるダンパーの下方部分が閉塞されることを防止する補強部材は、左竪枠１３に配置された加熱発泡材ｆ１と下枠１２に配置された加熱発泡材ｆ２によるダンパー下方の閉塞を防止する枠補強部材５７と、左竪框２３に配置された加熱発泡材ｆ３と下框２２に配置された加熱発泡材ｆ４によるダンパー下方の閉塞を防止する框補強部材５８とからなる。
【００４２】
枠補強部材５７は、図１２（ａ）ないし（ｃ）に示すように、左竪枠１３に配置される加熱発泡材ｆ１の下方部分を覆う見付け面部５７ａと、見付け面部５７ａの下方に一体的に連続して形成され下枠１２に配置される加熱発泡材ｆ２の外周側部分を覆う見付け面部５７ｂと、見付け面部５７ａの上方部分および下方部分からそれぞれ直角に延設される上、下固定部５７ｃ，５７ｄを有する。
なお、上、下固定部５７ｃ，５７ｄは、ダンパー８を固定するための基盤を避けるように上下で分かれているが、第１の実施形態の補強部材のように、固定部を一体的に形成してダンパーの基盤とともに共締めするように構成してもよい。
【００４３】
そして、枠補強部材５７は、図１４（ａ），（ｂ）、図１５（ａ）に示すように、枠補強部材５７の上、下固定部５７ｃ、５７ｄが左竪枠１３の左竪枠本体部１３１ａに固定されることで、見付け面部５７ａによって左竪枠１３の見付け壁部１３１ｂの室外側面に配置される加熱発泡材ｆ１の下方部分を覆うとともに、見付け面部５７ｂによって下枠１２の室内側本体部１２１ｂの室外側面に配置される加熱発泡材ｆ２のダンパー８が配置された空間の下方に位置する露出面を覆っている。
【００４４】
框補強部材５８は、図１２（ｄ）ないし（ｆ）に示すように、左竪框２３に配置される加熱発泡材ｆ３を覆う見付け面部５８ａと、見付け面部５８ａの下方に一体的に連続して形成され下框２２に配置される加熱発泡材ｆ４の外周側部分を覆う見付け面部５８ｂと、見付け面部５８ａの上方部分の内周側辺から直角に延設される固定部５８ｃを有する。
【００４５】
そして、框補強部材５８は、図１４（ａ），（ｂ）、図１５（ｂ）に示すように、框補強部材５８の固定部５８ｃが左竪框２３の左竪框本体部２３１ａに固定されており、見付け面部５８ａによって左竪框２３の室外側壁部２３１ｂの室内側面に配置される加熱発泡材ｆ３の下方部分を覆うとともに、見付け面部５８ｂによって下框２２の室外側壁部２２１ｂの室外側面に配置される加熱発泡材ｆ４のダンパー側の部分（端部）を覆っている。
【００４６】
なお、本実施形態における枠補強部材５７及び框補強部材５８の各部の寸法等は限定されるものではない。
例えば図１３（ａ）ないし（ｃ）に示す框補強部材５８のように、固定部５８ｃを見付け面部５８ａの室内側辺の全長にわたって直角に延設させて形成してもよく、また、見付け面部５８ａ、見付け面部５８ｂの幅寸法及び固定部５８ｃの幅寸法は、必要に応じて適宜変更できる。
さらに、図１３（ｄ）ないし（ｆ）に示す框補強部材５８のように、框補強部材５８を左竪框２３に固定した時に固定部５８ｃの樹脂左竪框２３２に対向する部分に、長手方向に沿って加熱発泡材ｆ５を配置してもよい。
【００４７】
本実施形態の防火建具において、障子２は、さらに下面両端部に底補強部材５９が配置されていてもよい。
底補強部材５９は、図１６（ａ），（ｂ）に示すように、ビス孔等が形成された矩形平板状の部材により形成されている。そして、図１６（ｃ），（ｄ）に示すように、左竪框２３の下端面から下框２２の下面にかけて配置され、ビス等の固定手段ｂ９によって下框２２に固定されている。
【００４８】
底補強部材５９は、図１７（ａ），（ｂ）に示すように、底補強部材５９の底板５９ａの上面に左竪框２３の下面に配置された端部キャップ９及び下框２２の樹脂下框２２２に対向するように加熱発泡材ｆ６を配置したものでもよい。
底補強部材５９の底板５９ａの上面に配置された加熱発泡材ｆ６は、両面テープ等の固着手段により取り付けられ、底補強部材５９が下框２２にネジ止め固定されることにより下框２２と底補強部材５９の間に保持されて、枠体１の左竪枠１３と障子２の左竪框２３との間の空間Ａには露出しない。
【００４９】
底板５９ａの上面に加熱発泡材ｆ６を配置した場合には、底補強部材５９は、外周側辺及び室内側辺にそれぞれ立上り壁５９ｂ，５９ｃを設けることで、火災時に発泡した加熱発泡材ｆ６が枠体１の左竪枠１３と障子２の左竪框２３との間の空間Ａに浸入しないようにすることが好ましい。
なお、図１７（ｃ）に示す例においては、框補強部材５８として、図１３（ｄ）ないし（ｆ）に示すものが用いられており、左竪框２３の樹脂左竪框２３２に対向する部分に加熱発泡材ｆ５が配置されている。
【００５０】
また、底補強部材５９は、本実施形態の防火建具に採用されている枠補強部材５７及び框補強部材５８だけでなく、先の実施形態の防火建具に採用されている補強部材に対しても組み合わせて使用することもできる。また、障子２の両下端部の補強及び火災時の防火性能の向上を目的として、底補強部材５９のみを配置することもできる。
【００５１】
なお、底補強部材５９を配置した防火建具の障子２の例として、図１３（ａ）ないし（ｃ）に記載された框補強部材に対して、図１６（ａ），（ｂ）に示す底補強部材５９を配置した例を図１８（ａ）に示し、図１３（ｄ）ないし（ｆ）に記載された框補強部材に対して、図１７（ａ），（ｂ）に示す底補強部材５９を配置した左竪框２３及び下框２２の例を図１８（ｂ）に示す。
【００５２】
また、樹脂サッシに対して、補強部材を配置した防火建具の例を、図１９に示す。
樹脂サッシは、コーナー部において端面が４５度に切断されて溶着されていることから、図１９（ｃ）（ｄ）に記載された底補強部材５９及び底補強部材５９の底板５９ａに加熱発泡材ｆ６は、下框２２の端部下面に配置される。
それによって、障子２のコーナー部は、底補強部材５９によって補強されると共に、火災時には、障子２のコーナー部において室内外の連通を抑制することができる。
なお、図１９（ａ）（ｂ）に示す例においては、框補強部材５８として、図１３（ｄ）ないし（ｆ）に示すものが用いられており、左竪框２３の樹脂左竪框２３２に対向する部分に加熱発泡材ｆ５が配置されている。
【００５３】
以上のように、第３の実施形態においては、枠体１及び障子２の下方端部が補強部材により補強され、強度が向上するとともに、枠体１の左竪枠１３と障子２の左竪框２３との間の空間Ａに対して発泡した加熱発泡材が侵入することを防止することができる。
【００５４】
また、障子２の端部下面を底補強部材５９で覆うことにより、ダンパーより漏れ出したオイルが障子２の下框２２の下面に回り込んでも、端部キャップや樹脂下枠に付着して着火することを抑制でき、障子２の下方コーナー部をカバーして耐火性をさらに向上させることができる。
【００５５】
さらに、底補強部材５９の上面に加熱発泡材ｆ６を配置することで、火災時に、加熱発泡材ｆ６を障子２の下方両端部分の樹脂部材に対して集中的に発泡させることができる。そして、底補強部材５９の辺に設けた立上り壁が形成されているので、加熱発泡材の空間Ａ方向への漏れを抑制して、オイルの排出性を維持することができる。
【００５６】
−第４の実施形態−
本発明の第４の実施形態の防火建具について、図２０ないし図２２を参考にして説明する。
本実施形態の防火建具において、加熱発泡材によるダンパーの下方が閉塞されることを防止する補強部材は、左竪枠１３に配置された加熱発泡材ｆ１によるダンパー下方の閉塞を防止する竪枠補強部材６０と、下枠１２に配置された加熱発泡材ｆ２によるダンパー下方の閉塞を防止する下枠補強部材６１と、左竪框２３に配置された加熱発泡材ｆ３及び下框２２に配置された加熱発泡材ｆ４によるダンパー下方の閉塞を防止する框補強部材６２を備えている。
【００５７】
竪枠補強部材６０は、図２０（ａ）ないし（ｃ）に示すように、左竪枠１３に配置される加熱発泡材ｆ１の下方部分を覆う見付け面部６０ａと、見付け面部６０ａの一辺から直角に延設され左竪枠１３に固定される固定部６０ｂを有する。
【００５８】
そして、竪枠補強部材６０は、図２１（ａ），（ｂ）に示すように、竪枠補強部材６０の固定部６０ｂが左竪枠１３の左竪枠本体部１３１ａに固定されることで、見付け面部６０ａによって左竪枠１３の見付け壁部１３１ｂの室外側面に配置される加熱発泡材ｆ１の下方部分のダンパーが配置された空間の下方に位置に対する露出面を覆っている。
【００５９】
下枠補強部材６１は、図２０（ａ）ないし（ｃ）に示すように、下枠１２に配置される加熱発泡材ｆ２の外周側部分を覆う見付け面部６１ａと、見付け面部６１ａの反戸先側の下辺から直角に延設され下枠１２の上面に固定される固定部６１ｂを有する。
【００６０】
そして、下枠補強部材６１は、図２１（ａ），（ｂ）に示すように、下枠１２の室外側本体部１２１ａの上面に固定部６１ｂが固定されることで、見付け面部６１ａによって下枠１２の室内側本体部１２１ｂの室外側面に配置される加熱発泡材ｆ２のダンパーが配置された空間の下方に位置する露出面を覆っている。
【００６１】
框補強部材６２は、図２０（ｄ）ないし（ｆ）に示すように、左竪框２３に配置される加熱発泡材ｆ３を覆う見付け面部６２ａと、見付け面部６２ａの下方に一体的に連続して形成され下框２２もしくは左竪框２３に配置される端部キャップ９を覆う見付け面部６２ｂと、見付け面部６２ｂの反戸先側に連続して形成され下框２２の室外側壁部２２１ｂの室内側を覆う見付け面部６２ｃと、見付け面部６２ｃの上辺から直角に延設されてなり下框２２の戸先側下面を覆う底面部６２ｄと、見付け面部６２ａの上方部分の内周側辺から直角に延設されてなり左竪框２３に固定される固定部６２ｅを有する。
【００６２】
そして、框補強部材６２は、図２１（ａ），（ｂ）、図２１（ａ）に示すように、框補強部材６２の固定部６２ｅが左竪框２３の左竪框本体部２３１ａに固定されることで、見付け面部６２ａによって左竪框２３の室外側壁部２３１ｂの室内側面に配置される加熱発泡材ｆ３の下方部分の露出面を覆うとともに、見付け面部６２ｂによって下框２２の下端に配置される端部キャップの室内側面を覆っている。
【００６３】
さらに、框補強部材６２は、底面部６２ｄが下框２２の下面に固定されることで、見付け面部６２ｃによって下框２２の室外側壁部２２１ｂの室内側面に配置される加熱発泡材ｆ４を覆っている。
なお、図２２（ｂ）は、各実施形態の説明の参考のために、補強部材を配置していない障子を示している。
【００６４】
以上のように、第４の実施形態の防火建具によれば、枠体１及び障子２の下方端部が補強部材により補強され、強度が向上するとともに、枠体１の左竪枠１３と障子２の左竪框２３との間の空間Ａに対して発泡した加熱発泡材が侵入することを防止することができる。
したがって、火災時に加熱発泡材が発泡することによりダンパーの下方が閉塞されることを抑制して、オイルをスムーズに排出することができる。
また、枠体に対する補強部材が、竪枠補強部材と下枠補強部材とに分割されているので、工場出荷時に両補強部材を竪枠及び下枠に固定してノックダウン出荷させることができ、現場での施工性を向上させることができる。
【００６５】
−第５の実施形態−
次に、加熱発泡材によるダンパー８の下方部分が閉塞されることを防止するために、ダンパー８の下方位置の加熱発泡材を切除する実施形態の防火建具について、図２３ないし図２５を参考にして説明する。なお、図２５においては、ダンパー８は省略している。
本実施形態では、切除される加熱発泡材として、下枠１２に配置される加熱発泡材ｆ２の例をあげて説明する。
【００６６】
本実施形態の防火建具の枠体１を構成する下枠１２は、アルミニウム合金等の金属材料からなり、図２３に示すように、躯体開口部に固定される下枠本体部１２ａと、下枠本体部１２ａの室内側に連設される室内側立設部１２ｂを有している。
室内側立設部１２ｂの室外側面には、加熱発泡材を保持するホルダー１２ｃ及び気密材を保持する気密材ホルダー１２ｄが形成されており、加熱発泡材ｆ２及び気密材ｓ２が、ホルダー１２ｃ及び気密材ホルダー１２ｄに対して下枠１２の長手方向ほぼ全長に亘って配置されている。
なお、室内側立設部１２ｂは中空部を有しており、中空部の内部には加熱発泡材ｆを配置してもよい。
【００６７】
障子２を構成する下框２２は、アルミニウム合金等の金属材料からなり、図２３に示すように、中空部を有し、下枠１２と下框２２の間の空間Ｂにおいて、ヒンジ１５によって下枠１２に支持されている。
【００６８】
本実施形態の防火建具の枠体１を構成する（左）竪枠１３は、アルミニウム合金等の金属材料からなり、図２４に示すように、躯体開口部に固定される竪枠本体部１３ａと、竪枠本体部１３ａの室内側内周面から内周方向に突設された戸当り部１３ｂを有している。
戸当り部１３ｂの室外側面には、加熱発泡材を保持するホルダー１３ｃ及び気密材を保持する気密材ホルダー１３ｄが形成されており、加熱発泡材ｆ１及び気密材ｓ１が、ホルダー１３ｃ及び気密材ホルダー１３ｄに対して竪枠１３の長手方向ほぼ全長に亘って配置されている。
【００６９】
障子２を構成する（左）竪框２３は、アルミニウム合金等の金属材料からなり、図２４に示すように、中空部を有する竪框本体部２３ａと、竪框本体部２３ａの室外側外周端から外周方向に突設された室外側壁部２３ｂと、竪框本体部２３ａの室外側内周端から内周方向に突設された室外側ガラス間口壁２３ｃと、竪框本体部２３ａの室内側内周面に取り付けられる押縁２３ｄを有している。
そして、竪枠１３の内周面と竪框２３の外周面との間の空間Ａには、障子２の開閉動作を補助するダンパー８が配置されており、ダンパー８の下端が竪枠本体部１３ａの内周面に固定され、ダンパー８の上端が竪框本体部２３ａの外周面に固定されている。
【００７０】
以上のように、下枠１２と下框２２の間の空間Ｂに対して、該空間Ｂに対向する面である下枠１２の室内側立設部１２ｂの室外側面に、加熱により発泡する加熱発泡材ｆ２が配置されているとともに、竪枠１３と竪框２３の間の空間Ａに対して、該空間Ａに対向する面である左竪枠１３の戸当り部１３ｂの室外側面に、加熱により発泡する加熱発泡材ｆ１が配置されており、火災時に発泡して下枠１２と障子２の下框２２との間の空間Ｂ及び竪枠１３と障子２の竪框２３との間の空間Ａを閉塞することで、室内外の連通を防止して、防火性能を向上させている。
【００７１】
そして、本実施形態においては、竪枠１３に配置された加熱発泡材ｆ１によるダンパー下方の閉塞を防止する竪枠補強部材６３が設けられるともに、下枠１２の室内側立設部１２ｂの室外側面に配置する加熱発泡材ｆ２の戸先側端部が切除されることで、枠体１の竪枠１３と障子２の竪框２３との間の空間Ａに対して発泡した加熱発泡材が侵入することを防止している。
【００７２】
具体的には、竪枠補強部材６３は、ステンレス等の金属材料からなり、図２４に示すように、竪枠１３の戸当り部１３ｂの室外側面を覆う見付壁部６３ａと、竪枠１３の竪枠本体部１３ａの内周面に固定される固定部６３ｂを有する断面略Ｌ字状の部材からなる。
そして、図２４，図２５に示すように、固定部６３ｂが竪枠本体部１３ａの内周面に固定されることで、見付壁部６３ａが竪枠１３に配置される加熱発泡材ｆ１の下方部位を覆い、加熱発泡材ｆ１が空間Ａに露出することを防止している。
【００７３】
このとき、竪枠１３に配置される加熱発泡材ｆ１の反戸先側辺の位置及び竪枠補強部材６３の反戸先側端の位置は、障子２の竪框２３の室内側面と重複する位置としている。
したがって、火災時に加熱発泡材ｆ１が発泡した際には、加熱発泡材ｆ１の竪枠補強部材６３によって覆われている部分について空間Ａ内に漏れ出すことは抑制されるが、図２４（ｂ）に示すように、加熱発泡材ｆ１の発泡によって竪枠補強部材６３が変形することで加熱発泡材ｆ１が内周側（反戸先側）に噴出することが許容され、加熱発泡材ｆ１及び変形した竪枠補強部材６３によって竪枠１３の戸当り部１３ｂと竪框２３の室内側面の間を塞いで室内外の連通を防止することができる。
【００７４】
一方、下枠１２に配置される加熱発泡材ｆ２は、図２５に示すように、その長手方向端部が竪枠１３に配置される加熱発泡材ｆ１の反戸先側辺の位置と同じ、もしくは加熱発泡材ｆ１の反戸先側辺より少し戸先側の位置まで配置されている。
したがって、火災時に加熱発泡材ｆ２が発泡しても、空間Ａ内に漏れ出すことは抑制される。また、発泡した加熱発泡材ｆ１が重力によって垂れることで下枠１２に配置された加熱発泡材ｆ２と連続して、建具のコーナー部において室内外の連通を防止することができる。
【００７５】
以上のように、第５の実施形態の防火建具によれば、火災時には、建具のコーナー部において竪枠１３に配置された加熱発泡材ｆ１と下枠１２に配置された加熱発泡材ｆ２とを連続させて室内外の連通を抑制することができるとともに、枠体１の竪枠１３に配置された加熱発泡材ｆ１及び下枠１２に配置された加熱発泡材ｆ２が竪枠１３と障子２の左竪框２３との間の空間Ａに侵入することを防止することができ、ダンパーの下方が閉塞されることを抑制して、オイルをスムーズに排出することができる。
【００７６】
なお、以上の実施形態は，請求項に記載された発明を限定するものではなく，例示として取り扱われることは言うまでもない。
例えば、各実施形態においては、加熱発泡材の枠体もしくは框体に対する配置は、枠体もしくは框体に形成されたホルダーに対して、枠体もしくは框体の端部から通し込むことによって行うことができるが、さらに、ホルダーの一部をカシメ変形させて固定してもよい。また、加熱発泡材の配置は、ホルダーによるものに限らず、例えば接着やネジ等によって固定してもよい。
【００７７】
また、補強部材の材料は、ステンレスやアルミ合金、鋼材等の金属材料に限らない。加熱発泡材を覆って空間Ａに露出しないようにすることを目的とするのであれば、耐熱性ガラスや不燃性樹脂材料など加熱発泡材の膨張を抑えることができ、ダンパーのオイル等の液体の排出を阻害しない任意の材料を用いることができる。また、第５の実施形態に示した端部を切除する加熱発泡材は、下枠に配置される加熱発泡材に限るものではなく、竪枠や障子に配置される加熱発泡材のダンパーの下方位置の部分を切除するなどして、枠体の竪枠と障子の竪框との間の空間に露出しないようにしてもよい。
さらに、補強部材の取付についても、ネジ等の固定手段によるものに限定されず、補強部材の弾性を利用して弾性係合による装着や、接着、溶接等によって固定してもよく、何ら限定されない。
【００７８】
さらに、防火建具は、金属部材と樹脂部材とからなる複合サッシに限定されるものではなく、アルミ合金等の金属材料からなるアルミサッシや樹脂材料からなる樹脂サッシなど建具の材料は何ら限定されるものではない。また、窓種についても、枠体の竪枠と障子の竪框との間の空間にダンパーが配置される窓であれば、外倒し窓に限定されるものではない。
【符号の説明】
【００７９】
１        ：枠体
２        ：障子
８        ：ダンパー
９        ：端部キャップ
１２      ：下枠
１３      ：左竪枠（竪枠）
２２      ：下框
２３      ：左竪框（竪框）
５１〜６２：補強部材
Ａ        ：空間
Ｂ        ：空間
ｆ１〜ｆ６：加熱発泡材
【図１】
2020002760.tif 000003
【図２】
2020002760.tif 000004
【図３】
2020002760.tif 000005
【図４】
2020002760.tif 000006
【図５】
2020002760.tif 000007
【図６】
2020002760.tif 000008
【図７】
2020002760.tif 000009
【図８】
2020002760.tif 000010
【図９】
2020002760.tif 000011
【図１０】
2020002760.tif 000012
【図１１】
2020002760.tif 000013
【図１２】
2020002760.tif 000014
【図１３】
2020002760.tif 000015
【図１４】
2020002760.tif 000016
【図１５】
2020002760.tif 000017
【図１６】
2020002760.tif 000018
【図１７】
2020002760.tif 000019
【図１８】
2020002760.tif 000020
【図１９】
2020002760.tif 000021
【図２０】
2020002760.tif 000022
【図２１】
2020002760.tif 000023
【図２２】
2020002760.tif 000024
【図２３】
2020002760.tif 000025
【図２４】
2020002760.tif 000026
【図２５】
2020002760.tif 000027